(57)【要約】【課題】軽量床衝撃音及び重量床衝撃音の双方を効果的に抑えることでき、異音対策にも十分配慮した建物の天井構造の提供する。【解決手段】この天井構造は、建物の上層階の床梁１に吊り具１３・・を介して吊り下げ支持された第１野縁受け５・・と、吊り具１３・・によって吊り下げ支持されることのない調整用の第２野縁受け６・・と、建物内壁４、４に固定された複数の際野縁４７、４７と、複数の中間野縁７・・と、天井板４５とを備えている。そして、吊り具１３・・に、防振材３１が予め組み込まれるとともに、第１及び第２野縁受け５、６・・に、ダイナミックダンパー３・・が予め組み込まれ、第１及び第２野縁受け５、６・・の両端部が、際野縁４７、４７上に緩衝材４６を介して載置されている。【選択図】図１
2010159553.tif 000002
【特許請求の範囲】
【請求項１】
建物の上層階の床梁（１）に吊り具（１３）・・を介して吊り下げ支持されて、互いに略平行に配された複数の第１野縁受け（５）・・と、前記吊り具（１３）・・によって吊り下げ支持されることなく、前記第１野縁受け（５）・・に対して略平行に配された複数の調整用の第２野縁受け（６）・・と、これら第１及び第２野縁受け（５）（６）・・に対して略直交するように、建物内壁（４）（４）に固定された複数の際野縁（４７）（４７）と、前記第１及び第２野縁受け（５）（６）・・に対して略直交するように、前記第１及び第２野縁受け（５）（６）・・の下側に取り付けられた複数の中間野縁（７）・・と、これら際野縁（４７）（４７）及び中間野縁（７）・・の下側に取り付けられた天井板（４５）とを備え、前記吊り具（１３）・・に、軽量床衝撃音低減用の防振材（３１）が予め組み込まれるとともに、前記第１及び第２野縁受け（５）（６）・・に、重量床衝撃音低減用のダイナミックダンパー（３）・・が予め組み込まれ、前記第１及び第２野縁受け（５）（６）・・の両端部が、前記建物内壁（４）（４）に対して縁切りした状態で、前記際野縁（４７）（４７）上に緩衝材（４６）（４６）を介して載置されたことを特徴とする建物の天井構造。
【請求項２】
前記第２野縁受け（６）・・の本数を調整して、前記ダイナミックダンパー（３）・・の個数を増減させることで、重量床衝撃音に対する遮音性能を調整可能とした請求項１記載の建物の天井構造。
【請求項３】
前記第１及び第２野縁受け（５）（６）・・と前記中間野縁（７）・・との各交差部付近に、前記ダイナミックダンパー（３）が配置された請求項１又は２記載の建物の天井構造。
【請求項４】
前記吊り具（１３）は、前記床梁（１）に取り付けられた梁取付部材（２９）と、前記第１野縁受け（５）を支持する吊りボルト（３０）とを備え、前記梁取付部材（２９）に対して上方へ張り出すように取り付けた前記防振材（３１）に前記吊りボルト（３０）を貫通させて、前記防振材（３１）を介して前記吊りボルト（３０）が前記梁取付部材（２９）に取り付けられた請求項１乃至３のいずれかに記載の建物の天井構造。
【請求項５】
前記ダイナミックダンパー（３）は、質量体（２２）と弾性体（２３）とを組み合わせて構成され、その弾性体（２３）によって質量体（２２）を弾性支持するようにして、前記第１及び第２野縁受け（５）（６）・・に水平方向に張り出した状態で装着された請求項１乃至４のいずれかに記載の建物の天井構造。
【発明の詳細な説明】
【技術分野】
【０００１】
この発明は、例えば住宅やマンション等の建物の天井構造に関する。
【背景技術】
【０００２】
従来より、住宅の上層階から下層階へ伝搬する床衝撃音を低減するにあたって、例えば上層階の床板や下層階の天井板の面密度を大きくするといった方法が採られている。この場合、多大な重量付加を伴うことになり、軽量鉄骨系住宅や木造住宅では、重量の重い床板や天井板を支えるだけの構造を確保すると、設計プランの自由度が制限されることが多い。
【０００３】
そこで、このような床板や天井板の重量付加を伴うことなく床衝撃音を低減するために、防振吊り具を用いて上層階の床に対して下層階の天井を防振支持したり（例えば特許文献１参照）、また床や天井の構成部材のうち振動振幅の大きい部位に錘を取り付けたり、さらには床や天井の構成部材にダイナミックダンパーを分散配置させる（例えば特許文献２参照）といった各種対策が講じられている。
【先行技術文献】
【特許文献】
【０００４】
【特許文献１】実開平５−６１３１１号公報
【特許文献２】特開２００６−３４２５８０号公報
【発明の概要】
【発明が解決しようとする課題】
【０００５】
一般に、床衝撃音としては、物を落下したときや椅子等を引きずったとき等に発生する中高域周波数の振動に起因する軽量床衝撃音と、子供が走り回ったり飛び跳ねたとき等に発生する低域周波数の振動に起因する重量床衝撃音とがある。床衝撃音対策としては、これら軽量床衝撃音及び重量床衝撃音の双方を効果的に抑えることが要求されるが、上記のような対策では、軽量床衝撃音又は重量床衝撃音のいずれか一方に対してのみ有効であることが多く、このような要求に十分に答えることができなかった。
【０００６】
また、防振吊り具を用いた対策では、防振ゴム等の経年劣化に伴うクリープ変形量の増大により、下層階の天井板が撓み易くなって部分的な垂れ下がりが生じるといった不具合があった。ところが、このような天井板の部分的な垂れ下がりに対しては、ほとんど配慮されていなかった。
【０００７】
さらに、錘やダイナミックダンパーを用いた対策では、遮音性能を高めるためには、床や天井の構成部材に比較的多くの錘やダイナミックダンパーを取り付ける必要があることから、施工が煩雑になりがちであった。また、錘やダイナミックダンパーの設置個数を増減させて遮音性能を調整する際にも、その調整作業が面倒であるといった不具合があった。
【０００８】
さらにまた、一般に軽量鉄骨系住宅や木造住宅における天井は、上層階の床梁に吊り具を介して吊り下げ支持された複数の野縁受けと、これら野縁受けに対して略直交するように、野縁受けの下側に取り付けられた複数の野縁と、これら野縁の下側に取り付けられた天井板とによって構成されており、これら天井構成部材が振動して上層階から下層階へ床衝撃音が伝搬するときには、振動する天井構成部材側と住宅本体側との間の連結部位において擦れ音等の異音が発生することがある。ところが、床衝撃音対策に重点がおかれていて、このような異音対策に対してまでは、ほとんど配慮されていなかった。
【０００９】
この発明は、上記の不具合を解消して、軽量床衝撃音及び重量床衝撃音の双方を効果的に抑えることでき、しかも天井板の部分的な垂れ下がり等をなくした良好な施工状態を維持することができ、施工や性能調整作業も容易であり、さらには異音対策にも十分配慮した建物の天井構造の提供を目的とする。
【課題を解決するための手段】
【００１０】
上記課題を解決するため、本発明の建物の天井構造は、建物の上層階の床梁１に吊り具１３・・を介して吊り下げ支持されて、互いに略平行に配された複数の第１野縁受け５・・と、前記吊り具１３・・によって吊り下げ支持されることなく、前記第１野縁受け５・・に対して略平行に配された複数の調整用の第２野縁受け６・・と、これら第１及び第２野縁受け５、６・・に対して略直交するように、建物内壁４、４に固定された複数の際野縁４７、４７と、前記第１及び第２野縁受け５、６・・に対して略直交するように、前記第１及び第２野縁受け５、６・・の下側に取り付けられた複数の中間野縁７・・と、これら際野縁４７、４７及び中間野縁７・・の下側に取り付けられた天井板４５とを備え、前記吊り具１３・・に、軽量床衝撃音低減用の防振材３１が予め組み込まれるとともに、前記第１及び第２野縁受け５、６・・に、重量床衝撃音低減用のダイナミックダンパー３・・が予め組み込まれ、前記第１及び第２野縁受け５、６・・の両端部が、前記建物内壁４、４に対して縁切りした状態で、前記際野縁４７、４７上に緩衝材４６、４６を介して載置されたことを特徴としている。
【００１１】
そして、前記第２野縁受け６・・の本数を調整して、前記ダイナミックダンパー３・・の個数を増減させることで、重量床衝撃音に対する遮音性能を調整可能としている。
【００１２】
また、前記第１及び第２野縁受け５、６・・と前記中間野縁７・・との各交差部付近に、前記ダイナミックダンパー３が配置されている。
【００１３】
さらに、前記吊り具１３は、前記床梁１に取り付けられた梁取付部材２９と、前記第１野縁受け５を支持する吊りボルト３０とを備え、前記梁取付部材２９に対して上方へ張り出すように取り付けた前記防振材３１に前記吊りボルト３０を貫通させて、前記防振材３１を介して前記吊りボルト３０が前記梁取付部材２９に取り付けられている。
【００１４】
さらにまた、前記ダイナミックダンパー３は、質量体２２と弾性体２３とを組み合わせて構成され、その弾性体２３によって質量体２２を弾性支持するようにして、前記第１及び第２野縁受け５、６・・に水平方向に張り出した状態で装着されている。
【発明の効果】
【００１５】
この発明の天井構造においては、吊り具に組み込んだ防振材によって、上層階から下層階へ伝搬する軽量床衝撃音を重点的に低減することができ、第１及び第２野縁受けに組み込んだダイナミックダンパーによって、上層階から下層階へ伝搬する重量床衝撃音を重点的に低減することができることから、軽量床衝撃音及び重量床衝撃音の双方を効果的に抑えることできる。
【００１６】
しかも、吊り具によって吊り下げ支持される第１野縁受けとは別に、吊り具によって吊り下げ支持されることなく、第１野縁受けに対して略平行に配された第２野縁受けを追加的に設けていることから、天井板の下地部分の剛性を高めることができる。これにより、天井板の撓みを抑えることができ、吊り具に防振材を組み込んで軽量床衝撃音対策を講じているにもかかわらず、防振材のクリープ変形に起因する天井板の部分的な垂れ下がりを防止することができ、良好な施工状態を長期に亘って維持することができる。
【００１７】
さらに、吊り具に防振材を予め組み込むとともに、第１及び第２野縁受けにダイナミックダンパーを予め組み込んであることから、これら吊り具、第１及び第２野縁受けを現場で施工するだけで、防振材やダイナミックダンパーの現場での取付作業をなくして、施工を容易に行うことができる。加えて、吊り具によって吊り下げ支持される第１野縁受けをそのままにして、吊り具によって吊り下げ支持されることのない施工自由度の高い第２野縁受けの本数を調整して、ダイナミックダンパーの設置個数を増減させることで、大幅な設計変更等を伴うことなく、遮音性能を簡単に調整することができる。
【００１８】
さらにまた、第１及び第２野縁受けにおけるダイナミックダンパーが組み込まれていない両端部を、建物内壁に対して縁切りした状態で、建物内壁に固定した際野縁上に緩衝材を介して載置していることから、上層階から下層階へ床衝撃音が伝搬するときに、振動する第１及び第２野縁受けが建物内壁に干渉することによって生じる衝突音、さらには振動する第１及び第２野縁受けが建物内壁に固定した際野縁と擦れ合うことによる擦れ音等の異音の発生を防止することができ、床衝撃音対策だけでなく、異音対策にも十分配慮した天井構造とすることができる。
【００１９】
また、第１及び第２野縁受けと中間野縁とが連結された各交差部付近は、剛性が高くしかも天井全体に亘って分散配置されており、このような各交差部付近にダイナミックダンパーを配置することで、ダイナミックダンパーによる重量床衝撃音の低減効果を天井全体に亘って効果的に利かすことができ、遮音性能を格段に向上することができる。
【００２０】
さらに、吊り具において、防振材を梁取付部材に対して上方へ張り出すように取り付けることで、床梁の下方のスペースが狭い場合でも、このスペースに関係なく防振材を確実に組み込むことができ、施工性のより一層の向上を図ることができる。
【００２１】
さらにまた、ダイナミックダンパーを、第１及び第２野縁受けに水平方向に張り出した状態で装着することで、床下空間における配管や断熱材等の施工に際して、ダイナミックダンパーが邪魔にならないようにすることができる。
【図面の簡単な説明】
【００２２】
【図１】この発明の一実施形態に係る建物の天井構造の部分斜視図である。
【図２】同じくその壁際部分の斜視図である。
【図３】同じくその概略平面図である。
【図４】同じくその吊り具付近の縦断面図である。
【図５】同じくその吊り具の部分縦断面図である。
【図６】同じくそのダイナミックダンパーの装着部分の分解斜視図である。
【図７】同じくその際野縁に載置する野縁受けを下から見た斜視図である。
【図８】同じくその際野縁付近の縦断面図である。
【図９】同じくその野縁受けと中間野縁との交差部付近の分解斜視図である。
【図１０】同じくそのランナー付近の縦断面図である。
【発明を実施するための形態】
【００２３】
以下、この発明の実施形態を図面に基づいて詳細に説明する。この発明の一実施形態に係る天井構造は、例えば軽量鉄骨系の戸建て住宅に適用されている。この天井構造は、図１乃至図３に示すように、上層階のＨ形鋼からなる床梁１に複数の吊り具１３・・を介して吊り下げ支持されて、互いに略平行に配された複数の第１野縁受け５・・と、吊り具１３・・によって吊り下げ支持されることなく、第１野縁受け５・・に対して略平行に配された複数の調整用の第２野縁受け６・・と、これら第１及び第２野縁受け５、６・・に対して略直交するように、互いに対向する建物内壁４、４に固定された一対の際野縁４７、４７と、第１及び第２野縁受け５、６・・に対して略直交するように、第１及び第２野縁受け５、６・・の下側に取り付けられた複数の中間野縁７・・と、これら際野縁４７、４７及び中間野縁７・・の下側に取り付けられた石膏ボード等からなる天井板４５とを備えている。
【００２４】
吊り具１３は、図４及び図５に示すように、床梁１に取り付けられる梁取付部材２９と、第１野縁受け５・・を支持する吊りボルト３０とを備え、軽量床衝撃音を低減するための防振材としての圧縮型の防振ゴム３１が一体に組み込まれている。
【００２５】
梁取付部材２９は、鋼板を折曲形成してなり、床梁１に係合する梁係合部３２と、防振ゴム３１を装着するゴム装着部３３とを備えている。梁係合部３２は、略水平に配された上面片３４と、この上面片３４の相対する端部から垂下して互いに平行に配された一対の側面片３５、３５とによって、開放部分が下向きとなったコ字状に形成されている。そして、側面片３５、３５には、嵌合溝３６が横向きに夫々形成されており、これら嵌合溝３６、３６に床梁１の下フランジ１４を嵌め込むようにして、梁係合部３２が床梁１に係合するようになっている。ゴム装着部３３は、梁係合部３２の上面片３４を床梁１から離間する方向に略水平に延出してなり、その略中央には、防振ゴム３１を取り付けるための取付孔３７が形成されている。
【００２６】
防振ゴム３１は、略中央部を括れさせた略円柱形に形成されており、その軸方向の略中央部にはボルト挿通孔３８が上下方向に貫通して形成されている。また、防振ゴム３１の下面中央には、ボルト挿通孔３８を囲むようにして円環状の係止部３９が形成されている。そして、この防振ゴム３１の係止部３９をゴム装着部３３の取付孔３７に上方から嵌め込んで、係止部３９をゴム装着部３３に嵌合させることで、防振ゴム３１が梁取付部材２９に対して上方へ張り出すように取り付けられている。これにより、床梁１の下側のスペースが狭い場合においても、このスペースに関係なく防振ゴム３１を確実に組み込むことができ、施工性の向上を図ることができる。
【００２７】
吊りボルト３０は、その上下端部に螺子部４０、４３が形成されている。なお、吊りボルト３０の上端部には、螺子部４０を設ける代わりにボルト頭を形成しても良い。そして、この吊りボルト３０は、その上側の螺子部４０にナット４１及び座金４２が取り付けられた後、防振ゴム３１のボルト挿通孔３８に上方から挿入されて、ナット４１及び座金４２が防振ゴム３１に引っ掛かることで、防振ゴム３１を上下方向に貫通した状態で、防振ゴム３１を介して梁取付部材２９に取り付けられている。また、このようにして梁取付部材２９から垂下した吊りボルト３０の下側の螺子部４３が、後述する第１野縁受け５の上側フランジ８のボルト挿通用孔１１を貫通して、この上フランジ８を挟むようにして螺子部４３に螺合したナット４４、４４を締め付けることで、吊りボルト３０の下端部に第１野縁受け５が取り付けられている。なお、吊り具１３の形状は、上記に限定されるものではなく、適宜変更可能である。
【００２８】
第１野縁受け５は、図６に示すように、開口部分を側方へ向けるように配置された溝形鋼からなり、上下一対のフランジ８、８と、それらフランジ８、８の長手方向に沿った一端部同士を連結するウエブ１０とを備えている。そして、上側フランジ８及びウエブ１０には、その長手方向に間隔をあけて複数のボルト挿通用孔１１、１２・・が形成されている。また、第２野縁受け６は、第１野縁受け５と同様の構造であるが、上側フランジ８のボルト挿通用孔１１・・は形成しなくても良い。なお、第１及び第２野縁受け５、６の形状は、上記に限定されるものではなく、適宜変更可能である。
【００２９】
そして、これら第１及び第２野縁受け５、６・・には、その両端部を除くようにして長手方向に適宜間隔をあけながら、重量床衝撃音を低減するための複数のダイナミックダンパー３・・が予め一体に組み込まれている。
【００３０】
ダイナミックダンパー３は、図６に示すように、例えば略直方体状に形成された質量体２２と、この質量体２２よりも一回り小さな略直方体状に形成された弾性体２３とを備えている。そして、弾性体２３における質量体２２側とは反対側の側面には、一対のボルト挿通用孔２４、２４を有する装着板２５が取り付けられている。
【００３１】
このようにして構成されたダイナミックダンパー３は、その装着板２５を第１野縁受け５のウエブ１０や第２野縁受け６のウエブ１０にそれらのボルト挿通用孔１２、２４・・が互いに一致するように当接させて、それらボルト挿通用孔１２、２４・・に挿通したボルト２７、２７にナット２８、２８を螺合して締め付けることにより、弾性体２３によって質量体２２を弾性支持するようにして、剛性の高い第１野縁受け５のウエブ１０や第２野縁受け６のウエブ１０に水平方向に張り出した状態で装着されている。これにより、床下空間における配管や断熱材等の施工に際して、ダイナミックダンパー３・・が邪魔にならないようにすることができる。なお、ダイナミックダンパー３・・の取り付けに際しては、上記のようにボルト２７、２７及びナット２８、２８によって固定するだけでなく、固定ピン等を使用してカシメ固定するようにしても良い。
【００３２】
際野縁４７は、図７及び図８に示すように、断面略ロ字状の鋼製筒材からなり、その側面片１５、１５にはその長手方向に沿って係止溝１６が各々形成されている。なお、際野縁４７の形状は、上記に限定されるものではなく、適宜変更可能である。この際野縁４７は、側面片１５、１５を貫通する複数のビス４８・・によって建物内壁４に固定されている。そして、互いに対向する建物内壁４、４に固定された際野縁４７、４７の上面間に跨るようにして、上記の第１及び第２野縁受け５、６・・が載置されている。具体的には、第１及び第２野縁受け５、６・・の両端部の下側フランジ８・・に、例えば発泡樹脂又はゴム製等の平板状の緩衝材４６、４６が接着剤等で予め貼り付けられていて、それら第１及び第２野縁受け５、６・・の両端部を、建物内壁４、４に対して僅かな隙間を設けて縁切りした状態で、際野縁４７、４７の上面に緩衝材４６、４６を介在させながら載置している。
【００３３】
中間野縁７は、際野縁４７と同様の構造の鋼製筒材からなる。なお、中間野縁７の形状は、上記に限定されるものではなく、適宜変更可能である。この中間野縁７・・は、第１及び第２野縁受け５、６・・に取り付けられた複数の野縁支持具１７・・によって支持されている。野縁支持具１７は、図９及び図１０に示すように、上面部１８と、この上面部１８の側縁から延出した一対の側面部１９、１９とによって下向きの略コ字状に形成されている。この野縁支持具１７の上面部１８には、一対の係合片２０、２０が形成されており、側面部１９、１９には、一対の係止爪２１、２１が各々形成されている。
【００３４】
そして、野縁支持具１７の係合片２０、２０を、第１野縁受け５や第２野縁受け６の下側フランジ８に係合させることで、野縁支持具１７が第１野縁受け５や第２野縁受け６の下側フランジ８に取り付けられて、この野縁支持具１７の側面部１９、１９間に中間野縁７の上部を差し入れて、野縁支持具１７の係止爪２１、２１を中間野縁７の係止溝１６、１６に係合させることで、中間野縁７が野縁支持具１７に支持されるようになっている。
【００３５】
なお、中間野縁７・・及び際野縁４７、４７の両端部は、図２及び図１０に示すように、中間野縁７・・及び際野縁４７、４７に対して略直交するように、互いに対向する建物内壁４、４にビス５０・・止めされた断面コ字状の溝形鋼からなるランナー４９、４９に固定されている。具体的には、ランナー４９、４９の室内側に開放する溝部に、中間野縁７・・及び際野縁４７、４７の端部が差し込まれた状態で、ランナー４９、４９に中間野縁７・・及び際野縁４７、４７の両端部がビス５１・・止めされている。
【００３６】
上記の天井構造においては、第１及び第２野縁受け５、６・・と中間野縁７・・及び際野縁４７、４７とが格子状に組み付けられて、天井板４５の下地部分を構成している。この下地部分では、吊り具１３・・によって吊り下げ支持される第１野縁受け５・・とは別に、吊り具１３・・によって吊り下げ支持されることなく、第１野縁受け５・・に対して略平行に配された第２野縁受け６・・が追加的に設けられて、剛性が高められていることから、天井板４５の撓みを抑えることができ、吊り具１３・・に防振ゴム３１を組み込んで軽量床衝撃音対策を講じているにもかかわらず、防振ゴム３１のクリープ変形に起因する天井板４５の部分的な垂れ下がりを防止して、良好な施工状態を長期に亘って維持することができるようになっている。
【００３７】
また、第１及び第２野縁受け５、６・・と中間野縁７・・との各交差部付近に、第１及び第２野縁受け５、６・・に組み込まれたダイナミックダンパー３・・が配置されている。各交差部付近は、剛性が高くしかも天井全体に亘って分配配置されており、このような各交差部付近にダイナミックダンパー３・・を配置することで、ダイナミックダンパー３・・による重量床衝撃音の低減効果を天井全体に亘って効果的に利かすことができ、遮音性能を向上している。
【００３８】
また、ダイナミックダンパー３・・は、例えば６３Ｈｚ帯域の振動を抑えるようにチューニングされており、これらダイナミックダンパー３・・の配置個数、すなわち第１及び第２野縁受け５、６・・の本数によって重量床衝撃音に対する遮音性能が設定されるが、床梁１に吊り下げ支持されていない施工自由度の高い第２野縁受け６・・の本数を適宜調整することで、ダイナミックダンパー３・・の設置個数を増減させて遮音性能を簡単に調整することができるようになっている。
【００３９】
上記の天井構造によれば、吊り具１３・・に予め組み込まれた防振ゴム３１によって、上層階から下層階へ伝搬する振動を伴った軽量床衝撃音を重点的に低減することができ、第１及び第２野縁受け５、６・・に組み込んだダイナミックダンパー３・・によって、上層階から下層階へ伝搬する振動を伴った重量床衝撃音を重点的に低減することができることから、軽量床衝撃音及び重量床衝撃音の双方を効果的に抑えることができる。
【００４０】
しかも、第１及び第２野縁受け５、６・・におけるダイナミックダンパー３・・が組み込まれていない両端部を、建物内壁４、４に対して縁切りした状態で、建物内壁４、４に固定した際野縁４７、４７上に緩衝材４６、４６を介して載置していることから、上層階から下層階へ床衝撃音が伝搬するときに、振動するダイナミックダンパー３・・が建物内壁４、４に干渉することによって生じる衝突音、振動する第１及び第２野縁受け５、６・・が建物内壁４、４に干渉することによって生じる衝突音、さらには振動する第１及び第２野縁受け５、６・・が建物内壁４、４に固定した際野縁４７、４７と擦れ合うことによる擦れ音等の異音の発生を防止することができ、床衝撃音対策だけでなく、異音対策にも十分に配慮することができる。
【００４１】
以上に、この発明の実施形態について説明したが、この発明は、上記実施形態に限定されるものではなく、この発明の範囲内で種々変更して実施することが可能である。例えば、この発明の天井構造は、新築の戸建て住宅に適用するだけでなく、リフォーム時における床衝撃音対策として既設の戸建て住宅に適用しても良い。また、軽量鉄骨系の戸建て住宅だけでなく、木造住宅やＲＣマンションの天井下地に適用しても良い。
【符号の説明】
【００４２】
１・・床梁、３・・ダイナミックダンパー、４・・建物内壁、５・・第１野縁受け、６・・第２野縁受け、７・・中間野縁、１３・・吊り具、２２・・質量体、２３・・弾性体、２９・・梁取付部材、３０・・吊りボルト、３１・・防振材、４５・・天井板、４６・・緩衝材、４７・・際野縁
【図１】
2010159553.tif 000003
【図２】
2010159553.tif 000004
【図３】
2010159553.tif 000005
【図４】
2010159553.tif 000006
【図５】
2010159553.tif 000007
【図６】
2010159553.tif 000008
【図７】
2010159553.tif 000009
【図８】
2010159553.tif 000010
【図９】
2010159553.tif 000011
【図１０】
2010159553.tif 000012